(57)【特許請求の範囲】
【請求項１】
中央装置に通信網を介して接続される一又は複数のサプライヤの端末装置に対して発注する商品の発注数を決定する発注数決定方法であって、
前記端末装置から前記中央装置へ送信される商品の提示価格及び提供可能数を前記中央装置のプロセッサにより受け付ける受付ステップと、
前記中央装置に予め用意される前記サプライヤの評価係数を登録した評価ファイルから、前記プロセッサにより登録した評価係数を抽出し、前記受付ステップにより受け付けた提示価格を前記プロセッサにより前記抽出した評価係数を乗じて補正する補正価格算出ステップと、
前記複数のサプライヤについての前記補正価格算出ステップにより算出した補正価格及び前記受付ステップにより受け付けた提供可能数を前記プロセッサにより前記中央装置の実績記憶部に記憶する実績記憶ステップと、
前記実績記憶部に記憶した補正価格及び提供可能数から前記プロセッサにより平均補正価格を算出させ、算出させた平均補正価格及び各サプライヤの補正価格を前記プロセッサにより比較させ、各サプライヤの補正価格の平均補正価格に対する高／低に応じて各サプライヤの発注率を低／高とするように各サプライヤの発注数を決定させる発注数決定ステップと
を備えることを特徴とする発注数決定方法。
【請求項２】
通信網を介して接続される一又は複数のサプライヤの端末装置へ商品の発注を行う中央装置において、
前記端末装置から送信される商品の提示価格及び提供可能数を受け付ける受付手段と、
前記サプライヤの評価係数を登録した評価ファイルと、
プロセッサと、
該プロセッサにより、前記評価ファイルから登録した評価係数を抽出し、前記受付手段により受け付けた提示価格を前記プロセッサにより前記抽出した評価係数を乗じて補正する補正価格算出手段と、
前記複数のサプライヤについての前記補正価格算出手段により算出した補正価格及び前記受付手段により受け付けた提供可能数を記憶する実績記憶手段と、
該実績記憶手段により記憶した補正価格及び提供可能数から前記プロセッサにより平均補正価格を算出させ、算出させた平均補正価格及び各サプライヤの補正価格を前記プロセッサにより比較させ、各サプライヤの補正価格の平均補正価格に対する高／低に応じて各サプライヤの発注率を低／高とするように各サプライヤの発注数を決定させる発注数決定手段と
を備えることを特徴とする中央装置。
【請求項３】
前記補正価格算出手段により算出した補正価格が、所定の最高補正価格よりも高い場合は、該補正価格に係るサプライヤの端末装置に対する商品の発注を中止する中止手段
を更に備えることを特徴とする請求項２に記載の中央装置。
【請求項４】
前記補正価格に対する商品の需要率を登録した需要率登録ファイルと、
前記需要率登録ファイルに基づいて求められる前記商品の補正価格に対する需要率を前記プロセッサにより抽出し、前記発注数決定手段により決定した１のサプライヤに係る商品の発注数に前記抽出した需要率を前記プロセッサにより乗じて調整する調整手段と
を更に備えることを特徴とする請求項２または３に記載の中央装置。
【請求項５】
コンピュータが、通信網を介して接続される一又は複数のサプライヤに係る他のコンピュータへ、商品の発注を行うためのコンピュータプログラムが記録されており、コンピュータでの読み取りが可能な記録媒体において、
前記コンピュータに、前記他のコンピュータから送信される商品の提示価格及び提供可能数を受け付けさせる受付プログラムコード手段と、
予め用意される前記サプライヤの評価係数を登録した評価ファイルから、前記コンピュータのプロセッサにより登録した評価係数を抽出させ、前記受付プログラムコード手段により受け付けさせた提示価格を前記プロセッサにより前記抽出した評価係数を乗じて補正させる補正価格算出プログラムコード手段と、
前記コンピュータに、前記複数のサプライヤについての、前記補正価格算出プログラムコード手段により算出させた補正価格、及び前記受付プログラムコード手段により受け付けさせた提供可能数を実績記憶部に記憶させる実績記憶プログラムコード手段と、
前記実績記憶部に記憶させた補正価格及び提供可能数から前記プロセッサにより平均補正価格を算出させ、算出させた平均補正価格及び各サプライヤの補正価格を前記プロセッサにより比較させ、各サプライヤの補正価格の平均補正価格に対する高／低に応じて各サプライヤの発注率を低／高とするように各サプライヤの発注数を決定させる発注数決定プログラムコード手段と
を含むコンピュータプログラムが記録されていることを特徴とするコンピュータでの読み取り可能な記録媒体。
【発明の詳細な説明】
【０００１】
【発明の属する技術分野】
本発明は、中央装置に通信網を介して接続されるサプライヤの端末装置に対して発注する商品の発注数を決定する発注数決定方法、これに用いる中央装置及び記録媒体に関する。
【０００２】
【従来の技術】
従来、食材、部品、原料またはホテルの部屋等の商品をサプライヤへ発注する場合、サプライヤへ電話またはＦＡＸ等の通信手段によりこれらの商品を発注していた。発注を受けたサプライヤは、発注者に対して提示する価格（以下、提示価格という）及び、提供可能な商品数（以下、提供可能数という）を上述の通信手段により後日、発注者に回答していた。
【０００３】
そして、サプライヤから提示価格及び提供可能数が提示された場合、発注者はその価格が妥当であるか否か、利益を確保することが可能か否か等を、自己の経験に基づいて判断し、提示価格を決定していた。また、発注数についても、今後の需要またはマージン等を考慮して経験に基づき発注数を決定することとしていた。
【０００４】
【発明が解決しようとする課題】
しかし、これらの判断は発注者の経験及び主観に基づいて行われるものであるため、的確な判断が困難であるという問題があった。特に近年、インターネット等の通信ネットワーク技術の発展に伴い、商品の発注も１のサプライヤだけではなく、ネットワーク上で複数のサプライヤの端末装置に対して同時に発注が行われるようになってきており、複数のサプライヤから複数の回答が、発注者に対して短時間に行われた場合、発注者は適切な判断を短時間ですることが困難になるという問題が発生する。
【０００５】
また、サプライヤからの回答に対し、適切な発注数を即座にかつ正確に明示しない場合は、商品購入の機会を失い、また適切でない提示価格の商品を購入することにより利益が減少することにもなる。
【０００６】
また、サプライヤから提示価格が提示された場合であっても、その価格が客観的に見て妥当であるか否かを判断するのは困難であるという問題がある。提供される商品は、各サプライヤによってその品質または特性等が異なっており、その品質等を考慮して各サプライヤから提示された価格を適正な価格に補正して客観的に発注数を決定する必要がある。
【０００７】
また、特にホテルの部屋、生鮮食品または航空機の座席等の商品は時間の経過に伴い、商品価値、及び需要が変動し、最終的に商品価値及び需要がなくなるものであるため、発注時の商品価値及び需要に適合した商品を発注する必要がある。
【０００８】
本発明は斯かる事情に鑑みてなされたものであり、その目的とするところは、複数のサプライヤから商品の提示価格及び提供可能数が提示された場合に、サプライヤが提示する商品の提示価格を適正な値に補正し、また過去の取引実績を考慮することにより、発注者の利益を最大限確保しつつより品質の良い商品を最大限発注することが可能な発注数決定方法、中央装置及び記録媒体を提供することにある。
【０００９】
また、本発明の他の目的はサプライヤから不当な価格が提示された場合であっても、これを拒否することにより、損失を防止することが可能な中央装置を提供することにある。
【００１０】
さらに、本発明の他の目的は商品発注時の商品の価値及び需要を考慮することにより、商品の需要に応じて最大限利益を確保することが可能となると共に、需要の高い商品を最大限購入することが可能な中央装置を提供することにある。
【００１１】
【課題を解決するための手段】
本発明に係る発注数決定方法にあっては、中央装置に通信網を介して接続される一又は複数のサプライヤの端末装置に対して発注する商品の発注数を決定する発注数決定方法であって、前記端末装置から前記中央装置へ送信される商品の提示価格及び提供可能数を前記中央装置のプロセッサにより受け付ける受付ステップと、前記中央装置に予め用意される前記サプライヤの評価係数を登録した評価ファイルから、前記プロセッサにより登録した評価係数を抽出し、前記受付ステップにより受け付けた提示価格を前記プロセッサにより前記抽出した評価係数を乗じて補正する補正価格算出ステップと、前記複数のサプライヤについての前記補正価格算出ステップにより算出した補正価格及び前記受付ステップにより受け付けた提供可能数を前記プロセッサにより前記中央装置の実績記憶部に記憶する実績記憶ステップと、前記実績記憶部に記憶した補正価格及び提供可能数から前記プロセッサにより平均補正価格を算出させ、算出させた平均補正価格及び各サプライヤの補正価格を前記プロセッサにより比較させ、各サプライヤの補正価格の平均補正価格に対する高／低に応じて各サプライヤの発注率を低／高とするように各サプライヤの発注数を決定させる発注数決定ステップとを備えることを特徴とする。
【００１３】
本発明に係る中央装置にあっては、通信網を介して接続される一又は複数のサプライヤの端末装置へ商品の発注を行う中央装置において、前記端末装置から送信される商品の提示価格及び提供可能数を受け付ける受付手段と、前記サプライヤの評価係数を登録した評価ファイルと、プロセッサと、該プロセッサにより、前記評価ファイルから登録した評価係数を抽出し、前記受付手段により受け付けた提示価格を前記プロセッサにより前記抽出した評価係数を乗じて補正する補正価格算出手段と、前記複数のサプライヤについての前記補正価格算出手段により算出した補正価格及び前記受付手段により受け付けた提供可能数を記憶する実績記憶手段と、該実績記憶手段により記憶した補正価格及び提供可能数から前記プロセッサにより平均補正価格を算出させ、算出させた平均補正価格及び各サプライヤの補正価格を前記プロセッサにより比較させ、各サプライヤの補正価格の平均補正価格に対する高／低に応じて各サプライヤの発注率を低／高とするように各サプライヤの発注数を決定させる発注数決定手段とを備えることを特徴とする。
【００１６】
本発明に係る中央装置にあっては、前記補正価格算出手段により算出した補正価格が、所定の最高補正価格よりも高い場合は、該補正価格に係るサプライヤの端末装置に対する商品の発注を中止する中止手段を更に備えることを特徴とする。
【００１７】
本発明に係る中央装置にあっては、前記補正価格に対する商品の需要率を登録した需要率登録ファイルと、前記需要率登録ファイルに基づいて求められる前記商品の補正価格に対する需要率を前記プロセッサにより抽出し、前記発注数決定手段により決定した１のサプライヤに係る商品の発注数に前記抽出した需要率を前記プロセッサにより乗じて調整する調整手段とを更に備えることを特徴とする。
【００１８】
本発明に係るコンピュータでの読み取りが可能な記録媒体にあっては、コンピュータが、通信網を介して接続される一又は複数のサプライヤに係る他のコンピュータへ、商品の発注を行うためのコンピュータプログラムが記録されており、コンピュータでの読み取りが可能な記録媒体において、前記コンピュータに、前記他のコンピュータから送信される商品の提示価格及び提供可能数を受け付けさせる受付プログラムコード手段と、予め用意される前記サプライヤの評価係数を登録した評価ファイルから、前記コンピュータのプロセッサにより登録した評価係数を抽出させ、前記受付プログラムコード手段により受け付けさせた提示価格を前記プロセッサにより前記抽出した評価係数を乗じて補正させる補正価格算出プログラムコード手段と、前記コンピュータに、前記複数のサプライヤについての、前記補正価格算出プログラムコード手段により算出させた補正価格、及び前記受付プログラムコード手段により受け付けさせた提供可能数を実績記憶部に記憶させる実績記憶プログラムコード手段と、前記実績記憶部に記憶させた補正価格及び提供可能数から前記プロセッサにより平均補正価格を算出させ、算出させた平均補正価格及び各サプライヤの補正価格を前記プロセッサにより比較させ、各サプライヤの補正価格の平均補正価格に対する高／低に応じて各サプライヤの発注率を低／高とするように各サプライヤの発注数を決定させる発注数決定プログラムコード手段とを含むコンピュータプログラムが記録されていることを特徴とする。
【００１９】
本発明にあっては、発注者は中央装置から一又は複数のサプライヤの端末装置へ必要な商品数を提示して発注を行い、サプライヤはこの発注に対して商品の提示価格及び提供可能数を端末装置に入力し、中央装置へ送信し回答する。中央装置は、各端末装置から送信された商品の提示価格及び提供可能数を受け付ける。中央装置には各サプライヤの商品の評価を登録した評価ファイルが予め用意されており、中央装置はこの評価ファイルを参照して提示価格を補正して補正価格を求める。そして各端末装置から送信された提示価格に係る補正価格及び提供可能数をデータベースとして実績記憶部に随時蓄積する。そして、発注数の決定にあっては、実績記憶部に記憶された各サプライヤの補正価格、及び提供可能数等の過去の実績に基づいて１のサプライヤに対する商品の発注数を決定するようにしたので、発注者の利益の最大化を図ることが可能となると共に、客観的な判断に基づく高品質の商品を最大限購入することが可能となる。
【００２０】
本発明にあっては、評価ファイルに各サプライヤの商品に対する評価を、商品の品質、人気度または顧客の満足度等の要素に基づいて判断し、その判断結果を評価係数として登録する。そして、各サプライヤから提示された提示価格に評価係数を乗ずることにより補正価格を算出するようにしたので、各サプライヤから提供される商品の本質的価値に基づいた商品の発注が可能となる。
【００２１】
本発明にあっては、実績記憶部に記憶した商品の補正価格及び提供可能数に基づいて、つまり過去の取引実績に基づいて当該商品の平均補正価格を算出する。そして、このサプライヤから提示された提示価格に係る補正価格がこの平均補正価格よりも低い場合であれば、その商品を発注する個数を多く、つまりサプライヤが提示した提供可能数に近い値となるようにする。一方、サプライヤから提示された提示価格に係る補正価格がこの平均補正価格よりも高い場合であれば、その商品を発注する個数を少なく、つまりサプライヤが提示した提供可能数を減じて発注するようにしたので、過去の販売実績に基づいた発注数の決定が可能となる。
【００２２】
本発明にあっては、商品の発注者が商品をサプライヤから購入する最も高い値である最高補正価格を設定しておき、サプライヤから提示された提示価格に係る補正価格が最高補正価格よりも高い場合は、商品の発注を中止するようにしたので、不当に高い商品の発注を防止することが可能となり、発注者の損失を防止することが可能となる。
【００２３】
本発明にあっては、商品の価値及び需要が時間の経過と共に変動し最終的に価値及び需要がなくなる商品である場合、例えば商品がホテルの部屋である場合は、予約日が近づいてきた場合、サプライヤは安い価格で商品を提供しようと考えるので、安い価格の商品の需要率が上昇する。一方、予約日がまだ先である場合は、サプライヤは高い値段で商品を提供しようと考えるので、安い価格の商品の需要率は低下し、高い価格の商品の需要率が上昇する。その他、特定の商品に人気が集中し商品の数が少なくなっている場合は、商品の価値及び需要が急激に上昇する。このように商品の補正価格に対する需要率を登録した需要率登録ファイルをサプライヤ毎に、数々の条件で登録しておき、決定した発注数に需要率を乗じて最終的な発注数を決定するようにしたので、商品の現時点における市場価値、需要等の各要素を考慮した発注数の決定が可能となり、発注者の利益が最大限確保されると共に、より市場の需要に応じた商品の調達が可能となる。
【００２４】
【発明の実施の形態】
以下本発明を、商品をホテルの部屋に適用した場合における実施の形態を示す図面に基づいて詳述する。
実施の形態１
図１は本発明に係る発注数決定方法を実施するためのハードウェア構成を示す説明図である。図において１は商品（ホテルの部屋）の発注を行う旅行代理店等に設置される中央装置である。中央装置１はインターネット等の通信網Ｎを介して各サプライヤ（ホテル等）に設置される端末装置２，２，２…に有線または無線で接続されている。商品の発注にあっては中央装置１に発注者がホテルの部屋の予約日、シングルまたはダブル等の部屋のタイプ及び購入する商品の発注数を入力し、各端末装置２，２，２…へ送信する。
【００２５】
発注を受けた各ホテルの管理者は、その日に提供することが可能なホテルの数（以下、提供可能数という）及びその価格（以下、提示価格という）を端末装置２に入力して回答する。この回答を受けた中央装置１は、これらの内容を記憶し以下に述べる方法で、各サプライヤに対する発注数をそれぞれ決定し、その決定数を各端末装置２，２，２…へ送信することにより取引が終了する。
【００２６】
図２は中央装置１のハードウェア構成を示すブロック図である。図において１６は通信網Ｎを介して端末装置２との間で、ＭＰＵ１１の指示により情報を送受信する通信部である。発注者はディスプレイ等の表示部１４を参照しながら、キーボード等の入力部１３から、発注するホテルの予約日、部屋のタイプ、必要なホテル数の諸データを入力する。入力された発注データは、ＭＰＵ１１の指示によりハードディスク等の記憶部１５に記憶された後、通信部１６を経て端末装置２，２，２…へ送信される。
【００２７】
端末装置２，２，２…から商品の提示価格（ホテルの一泊当たりの料金）及び提供可能数（提供可能なホテル室数）が送信された場合、ＭＰＵ１１は、後述する手段により各サプライヤ（各ホテル）の評価を登録した評価ファイル１５ｂを参照して、提示価格を補正価格に補正する。そして、その内容をＲＡＭ１２に一時的に格納した後、記憶部１５の実績記憶部１５ａに、各ホテルから送信された提示価格、該提示価格に係る補正価格及び提供可能数を、各ホテルに対応づけて記憶する。
【００２８】
図３は評価ファイル１５ｂのデータベース構造を示す説明図である。評価ファイル１５ｂにはサプライヤである各ホテルの評価が登録されており、この評価に基づいて各ホテルから提示される提示価格を補正して補正価格を算出する。評価項目としては、駅からの距離、ホテル内にレストランがあるか否か、ＦＡＸ、トイレ、バス等の各種設備の有無、コンビニエンスストアまでの距離及びキャンセル率等が登録されている。これらの諸データは発注者が入力部１３から適宜入力または各ホテルからこれらの情報をダウンロードする。
【００２９】
さらに評価項目としての客観性を高めるために宿泊客の満足度を登録する。これは宿泊客からのアンケートをｅ−Ｍａｉｌ等で集計し登録するようにする。これらの諸データに基づいて所定の条件に従って、ホテルの評価係数を算出する。補正価格は評価係数にホテルが提示した価格を乗ずるものであり、評価の高いホテルであれば提示価格よりも低い補正価格が算出され、評価の低いホテルであれば提示価格よりも高い補正価格が算出される。評価ファイル１５ｂには、全てのサプライヤたるホテルについて以上のデータが登録されている。
【００３０】
図４は実績記憶部１５ａのデータベース構造を示す説明図である。実績記憶部１５ａには各ホテルが提示した提示価格、その提示価格に係る補正価格、及び提供可能数が記憶されている。これらのデータは随時蓄積され年度毎に販売実績として記憶される。さらに、ホテルの部屋の価格は月、平日または土曜日等の曜日、クリスマス及びお盆等のイベントにより変動するものであるため、これらの特性に分類してそれぞれ提示価格等を記憶している。図４においては、８月度土曜日のシングル一泊の部屋を発注した場合の各ホテルから提示された提示価格等を記憶したものである。
【００３１】
また、平均補正価格とはサプライヤたる各ホテルの補正価格の平均値を示したものである。平均補正価格は各ホテルの補正価格を合計してホテル数で除すことにより求めても良いし、補正価格に提供可能数を乗じたものを、各ホテルについて求めその合計値を総提供可能数で除することにより求めても良い。発注数の決定にあっては平均補正価格を参照して行う。例えば平均補正価格よりも安い補正価格であるＡホテルは、発注数が多く（例えば提供可能数の７０％程度）決定され、逆に平均補正価格よりも高いＢホテルでは発注数が少なく（例えば提供可能数の５０％程度）発注される。
【００３２】
さらに、最高補正価格とは発注者が商品をサプライヤから購入した場合、最低限の利益が得られる価格をいう。提示価格に係る補正価格がこの最高補正価格よりも大きい場合は、ＭＰＵ１１は、その補正価格を提示したサプライヤに係る端末装置２との取引を中止する。なお、この最高補正価格は発注者が入力部１３から適当な値を入力するようにする。
【００３３】
図５は平均補正価格及び最高補正価格を考慮した、補正価格に対する発注率を示すグラフである。サプライヤの補正価格が平均補正価格よりも低ければ低いほど発注率が増加する。一方、サプライヤの補正価格が平均補正価格よりも高ければ高いほど発注率が低下する。すなわち客観的な評価に基づく補正価格が低いホテル（品質の高いホテル）は発注率が高くなり、逆に補正価格が高いものは発注率が低下するように設定している。係る発注方法によれば、より品質の高い商品を効率よく発注することが可能となる。また、サプライヤの補正価格が上述の最高補正価格を超える場合は、発注率を「０」とし、発注を中止する。なお、この補正価格に対する発注率データは記憶部１５に記憶されている。
【００３４】
図６及び図７は商品の発注から発注数決定までの処理手順を示すフローチャートである。まず発注者は商品の種類、例えばホテルの部屋のタイプ、予約日等、商品の総発注数及び商品の最高補正価格等を入力部１３から入力する（ステップＳ６１）。なお、この入力したデータは実績記憶部１５ａに記憶される。入力した情報のうち発注する商品及び必要な商品数に関する商品情報を端末装置２へ送信する（ステップＳ６２）。なお、最高補正価格は端末装置２へ送信しない。サプライヤは商品の提示価格及び提供可能数を図示しない入力部から入力し（ステップＳ６３）、これらを中央装置１へ送信する（ステップＳ６４）。
【００３５】
ＭＰＵ１１は端末装置２から送信された提示価格及び提供可能数を受け付け（ステップＳ６５，Ａ）、評価ファイル１５ｂを参照して補正価格を算出する（ステップＳ７１）。なお、補正価格の算出については後述する。そして、サプライヤ（ホテル）に関連付けて、提示価格、補正価格及び提供可能数を実績記憶部１５ａに記憶する（ステップＳ７２）。また、実績記憶部１５ａに蓄積された補正価格及び提供可能数に基づいて平均補正価格が算出されその内容が記憶される。
【００３６】
ついで、１のサプライヤの補正価格が、実績記憶部１５ａに記憶した最高補正価格よりも小さい額であるか否かを判断し（ステップＳ７３）、補正価格が最高補正価格を上まわる場合は（ステップＳ７３でＮｏ）、発注数を０としそのサプライヤへの発注を中止する（ステップＳ７４）。一方、１のサプライヤの補正価格が最高価格よりも小さい場合は（ステップＳ７３でＹｅｓ）、後述する方法により発注数を決定する（ステップＳ７５）。そして、ＭＰＵ１１はそのサプライヤに係る端末装置２へ決定した発注数または発注中止情報を送信する（ステップＳ７６）。そして、端末装置２は発注数または発注中止情報を受信することにより（ステップＳ７７）、処理が終了する。
【００３７】
上述の処理では、端末装置２からの送信がある都度、発注数を決定するようにしているが、一定時間決定を保留し、オークション形式により発注数を決定しても良い。特に発注受付を終了する時間が近づいてきた場合は以下の処理を経ることにより、商品の発注が過不足なく行える。
【００３８】
図８乃至図１０はオークション形式の発注数決定の処理手順を示すフローチャートである。ステップＳ７５までは上記処理と同様であるので省略する。ステップＳ７５において１のサプライヤに対する発注数が決定した後、発注受け付けを終了する残り時間（以下、残時間という）が所定時間以上であるか否かを判断する（ステップＳ８１）。残時間が所定時間以上である場合は（ステップＳ８１でＹｅｓ）、ステップ６５へ移行し（ステップＳ８２）引き続き他のサプライヤに係る端末装置２，２，２…から送信される提示価格及び提供可能数を受け付け、発注数を決定する（ステップＳ７５）。
【００３９】
一方、残時間が所定時間以下となった場合は（ステップＳ８１でＮｏ）、商品の残数を確実に確保するため以下の処理を行う。サプライヤは商品の提示価格及び提供可能数を中央装置１へ送信し（ステップＳ８３）、ＭＰＵ１１は端末装置２から送信された提示価格及び提供可能数を受け付け（ステップＳ８４）、評価ファイル１５ｂを参照して補正価格を算出する（ステップＳ８５，Ｂ）。そして、サプライヤ（ホテル）に関連付けて、提示価格、補正価格及び提供可能数を実績記憶部１５ａに記憶する（ステップＳ９１）。そして残時間が０であるか否かを判断し（ステップＳ９２）、残時間が０でない場合は（ステップＳ９２でＮｏ）、そのサプライヤの発注数を決定することなく、ステップ８４へ移行し（ステップＳ９３）、引き続き他のサプライヤに係る端末装置２，２，２…から送信される提示価格及び提供可能数を受け付け、その内容を記憶する（ステップＳ９１）。
【００４０】
そして残時間が０となった場合は（ステップＳ９２でＹｅｓ）、中央装置１は端末装置２から送信される提示価格等のオファー受付を終了する（ステップＳ９４）。そして、ステップＳ８１における残時間が所定時間以下となったときから、残時間が０になるまでの間に提示のあった提示価格に係る補正価格の中から最も低い値である補正価格を選択し、該補正価格に係る端末装置２を選択する（ステップＳ９５，Ｃ）。すなわち残時間が一定時間以下となった場合は、オークション形式により複数の補正価格から最も安い補正価格を提示したサプライヤを選択する。
【００４１】
ついで、選択された補正価格が、実績記憶部１５ａに記憶した最高補正価格よりも小さい額であるか否かを判断し（ステップＳ１０１）、補正価格が最高補正価格を上まわる場合は（ステップＳ１０１でＮｏ）、発注数を０としその選択されたサプライヤへの発注を中止する（ステップＳ１０２）。一方、１のサプライヤの補正価格が最高価格よりも小さい場合は（ステップＳ１０１でＹｅｓ）、残っている商品の発注数全てを、その選択されたサプライヤに対する発注数として決定する（ステップＳ１０３）。これにより発注処理終了時に商品が残存する事態が回避される。そして、ＭＰＵ１１はそのサプライヤに係る端末装置２へ決定した発注数または発注中止情報を送信する（ステップＳ１０４）。そして、端末装置２は発注数または発注中止情報を受信することにより（ステップＳ１０５）、処理が終了する。
【００４２】
図１１は補正価格算出の処理手順を示すフローチャートである。ＭＰＵ１１は受付手段により受け付けた端末装置２の提示価格をＲＡＭ１２に一時的に格納する（ステップＳ１１０）。そして、該端末装置２のサプライヤの評価係数を、評価ファイル１５ｂを参照して抽出する（ステップＳ１１１）。それから、ＲＡＭ１２に格納した提示価格に抽出した評価係数を乗ずることにより補正価格を算出する（ステップＳ１１２）。
【００４３】
図１２は発注数決定の処理手順を示すフローチャートである。まず、実績記憶部１５ａに記憶している補正価格に提供可能数を乗じる。これを各サプライヤについて求め、これらの合計値を算出する。そしてその合計値を総提供可能数（総部屋数）で除することにより平均補正価格を算出する（ステップＳ１２１）。なお平均補正価格は、各サプライヤの補正価格の合計値を求め、その値を総サプライヤ数で除することにより求めても良い。
【００４４】
そして、１つのサプライヤの求めた補正価格を平均補正価格と比較して発注率を決定する（ステップＳ１２２）。発注率は図５で示すグラフに基づいて、具体的にはそのデータが記憶された記憶部１５に基づいて決定される。そして、発注率に該サプライヤから提示された提供可能数を乗じて発注数を決定する（ステップＳ１２３）。
【００４５】
実施の形態２
実施の形態２に係る発明は実施の形態１で算出した発注数に、補正価格に対する需要率を乗ずることによってより、より市場の需要に即した発注数を決定するものである。図１３は実施の形態２に係る中央装置１のハードウェア構成を示すブロック図である。記憶部１５には補正価格に対する商品の需要率を登録した需要率登録ファイル１５ｃが設けられている。図１４は需要率登録ファイル１５ｃのデータベース構造を示す説明図であり、図１５はそのデータをグラフ化したものである。需要率登録ファイル１５ｃはサプライヤ毎（ホテル毎）に設けられており、例えばホテルの予約日までの日数により商品の補正価格に対する需要率が変動することから、予めこれらのデータが入力部１３から発注者により入力されている。
【００４６】
例えば、図１５に示すように予約日まで日数が多い場合は、サプライヤはあまり値下げせず高い提示価格を提示すると予測されるので需要率は全体的に低く設定しておく。一方予約日までの日数がわずかしかない場合は、サプライヤは値下げすると考えられるので全体的に需要率を高く設定すると共に、高い提示価格で購入する必要はないので高価格帯の需要率を低く設定する。この他、特定の商品に人気が集中し商品の数が少なくなっている場合は、商品の価値及び需要が急激に上昇する。このように商品の価値は商品群全体に対する需要等様々な要因で変動するため、これらの要因に応じた需要率登録ファイル１５ｃをサプライヤ毎に用意しておく。
【００４７】
図１６は需要率を考慮して発注数を調整する処理手順を示すフローチャートである。まず、ステップ７１によって算出した補正価格に対する需要率を、需要率登録ファイル１５ｃを参照して抽出する（ステップＳ１６１）。そして、ステップＳ７５において算出した発注数に抽出した需要率を乗じて発注数を調整する（ステップＳ１６２）。そしてこの調整後の発注数を最終的に端末装置２（サプライヤ）へ送信する。
【００４８】
本実施の形態２は以上の如き構成としてあり、その他の構成及び作用は実施の形態１と同様であるので、対応する部分には同一の参照番号を付してその詳細な説明を省略する。
【００４９】
実施の形態３
図１７は実施の形態３に係る発注数決定方法を実施するためのハードウェア構成を示す模式図である。実施の形態１に係る中央装置１を実行させるためのコンピュータプログラムは、本実施の形態３のように中央装置１にプレインストールして提供することも、またＣＤ−ＲＯＭ、ＭＯ等の可搬型の記録媒体１ａで提供することも可能である。さらに、コンピュータプログラムを回線経由で搬送波として伝搬させて提供することも可能である。以下に、その内容を説明する。
【００５０】
図１７に示す中央装置１に、端末装置２，２，２…から送信される商品の提示価格及び提供可能数を受け付けさせ、予め用意される前記サプライヤの評価を登録した評価ファイル１５ｂに基づいて、受け付けさせた提示価格を補正させ、前記複数のサプライヤについて算出させた補正価格、及び提供可能数を記憶させ、該記憶させた補正価格及び提供可能数に基づいて、１のサプライヤについての商品の発注数を決定させるプログラムが記録された記録媒体１ａ（ＣＤ−ＲＯＭ、ＭＯ又はＤＶＤ−ＲＯＭ等）が中央装置１の図示しない記憶部１５にインストールされている。かかるプログラムは中央装置１のＲＡＭ１２にロードして実行される。これにより、上述のような本発明の中央装置１として機能する。
【００５１】
本実施の形態３は以上の如き構成としてあり、その他の構成及び作用は実施の形態１及び実施の形態２と同様であるので、対応する部分には同一の参照番号を付してその詳細な説明を省略する。
【００５２】
なお、実施の形態１乃至３では商品をホテルの部屋として説明したが、必ずしもこれに限らず航空機の座席、生鮮食品、書籍、コンピュータまたは被服等であっても良い。
【００５３】
【発明の効果】
以上詳述した如く、本発明にあっては、発注者は中央装置から一又は複数のサプライヤの端末装置へ必要な商品数を提示して発注を行い、サプライヤはこの発注に対して商品の提示価格及び提供可能数を端末装置に入力し、中央装置へ送信し回答する。中央装置は、各端末装置から送信された商品の提示価格及び提供可能数を受け付ける。中央装置には各サプライヤの商品の評価を登録した評価ファイルが予め用意されており、中央装置はこの評価ファイルを参照して提示価格を補正して補正価格を求める。そして各端末装置から送信された提示価格に係る補正価格及び提供可能数をデータベースとして実績記憶部に随時蓄積する。そして、発注数の決定にあっては、実績記憶部に記憶された各サプライヤの補正価格、及び提供可能数等の過去の実績に基づいて１のサプライヤに対する商品の発注数を決定するようにしたので、発注者の利益の最大化を図ることが可能となると共に、客観的な判断に基づく高品質の商品を最大限購入することが可能となる。
【００５４】
本発明にあっては、評価ファイルに各サプライヤの商品に対する評価を、商品の品質、人気度または顧客の満足度等の要素に基づいて判断し、その判断結果を評価係数として登録する。そして、各サプライヤから提示された提示価格に評価係数を乗ずることにより補正価格を算出するようにしたので、各サプライヤから提供される商品の本質的価値に基づいた商品の発注が可能となる。
【００５５】
本発明にあっては、実績記憶部に記憶した商品の補正価格及び提供可能数に基づいて、つまり過去の取引実績に基づいて当該商品の平均補正価格を算出する。そして、このサプライヤから提示された提示価格に係る補正価格がこの平均補正価格よりも低い場合であれば、その商品を発注する個数を多く、つまりサプライヤが提示した提供可能数に近い値となるようにする。一方、サプライヤから提示された提示価格に係る補正価格がこの平均補正価格よりも高い場合であれば、その商品を発注する個数を少なく、つまりサプライヤが提示した提供可能数を減じて発注するようにしたので、過去の販売実績に基づいた発注数の決定が可能となる。
【００５６】
本発明にあっては、商品の発注者が商品をサプライヤから購入する最も高い値である最高補正価格を設定しておき、サプライヤから提示された提示価格に係る補正価格が最高補正価格よりも高い場合は、商品の発注を中止するようにしたので、不当に高い商品の発注を防止することが可能となり、発注者の損失を防止することが可能となる。
【００５７】
本発明にあっては、商品の価値及び需要が時間の経過と共に変動し最終的に価値及び需要がなくなる商品である場合、例えば商品がホテルの部屋である場合は、予約日が近づいてきた場合、サプライヤは安い価格で商品を提供しようと考えるので、安い価格の商品の需要率が上昇する。一方、予約日がまだ先である場合は、サプライヤは高い値段で商品を提供しようと考えるので、安い価格の商品の需要率は低下し、高い価格の商品の需要率が上昇する。その他、特定の商品に人気が集中し商品の数が少なくなっている場合は、商品の価値及び需要が急激に上昇する。このように商品の補正価格に対する需要率を登録した需要率登録ファイルをサプライヤ毎に、数々の条件で登録しておき、決定した発注数に需要率を乗じて最終的な発注数を決定するようにしたので、商品の現時点における市場価値、需要等の各要素を考慮した発注数の決定が可能となり、発注者の利益が最大限確保されると共に、より市場の需要に応じた商品の調達が可能となる等、本発明は優れた効果を奏し得る。
【図面の簡単な説明】
【図１】本発明に係る発注数決定方法を実施するためのハードウェア構成を示す説明図である。
【図２】中央装置のハードウェア構成を示すブロック図である。
【図３】評価ファイルのデータベース構造を示す説明図である。
【図４】実績記憶部のデータベース構造を示す説明図である。
【図５】平均補正価格及び最高補正価格を考慮した、補正価格に対する発注率を示すグラフである。
【図６】商品の発注から発注数決定までの処理手順を示すフローチャートである。
【図７】商品の発注から発注数決定までの処理手順を示すフローチャートである。
【図８】オークション形式の発注数決定の処理手順を示すフローチャートである。
【図９】オークション形式の発注数決定の処理手順を示すフローチャートである。
【図１０】オークション形式の発注数決定の処理手順を示すフローチャートである。
【図１１】補正価格算出の処理手順を示すフローチャートである。
【図１２】発注数決定の処理手順を示すフローチャートである。
【図１３】実施の形態２に係る中央装置のハードウェア構成を示すブロック図である。
【図１４】需要率登録ファイルのデータベース構造を示す説明図である。
【図１５】補正価格に対する需要率を示すグラフである。
【図１６】需要率を考慮して発注数を調整する処理手順を示すフローチャートである。
【図１７】実施の形態３に係る発注数決定方法を実施するためのハードウェア構成を示す模式図である。
【符号の説明】
１    中央装置
１ａ  記録媒体
１５  記憶部
１５ａ  実績記憶部
１５ｂ  評価ファイル
１５ｃ  需要率登録ファイル
２    端末装置
Ｎ    通信網
【図１】
0003617029.tif 000002
【図２】
0003617029.tif 000003
【図３】
0003617029.tif 000004
【図４】
0003617029.tif 000005
【図５】
0003617029.tif 000006
【図６】
0003617029.tif 000007
【図７】
0003617029.tif 000008
【図８】
0003617029.tif 000009
【図９】
0003617029.tif 000010
【図１０】
0003617029.tif 000011
【図１１】
0003617029.tif 000012
【図１２】
0003617029.tif 000013
【図１３】
0003617029.tif 000014
【図１４】
0003617029.tif 000015
【図１５】
0003617029.tif 000016
【図１６】
0003617029.tif 000017
【図１７】
0003617029.tif 000018